(57)【要約】【課題】シードテープ用シート被覆装置を提供する。【解決手段】本発明によるシードテープ用シート被覆装置１は、走行可能な台車型機枠に取り付けられ、シート部材Ｐをシードテープと同期して繰り出し、開口形成予定部を切断し、鎮圧ローラ６によりシートをシードテープに被覆するシードテープ用シート被覆装置である。シート部材Ｐを巻回装備したシートリール３と、シート部材Ｐを切断位置に案内する案内手段３４Ａ，３４Ｂを備えている。補助ローラ３６は切断位置に配置され、カッターローラ３５は、前記補助ローラ３６に離接可能に配置されている。そして切断時にシート部材Ｐを前記補助ローラ３６間に挟持して回転し切断する。【選択図】図４
2006115854.tif 000002
【特許請求の範囲】
【請求項１】
走行可能な台車型機枠に取り付けられ、シート部材をシードテープと同期して繰り出し、開口形成予定部を切断し、鎮圧ローラによりシートをシードテープに被覆するシードテープ用シート被覆装置であって、
シート部材を巻回装備したシートリールと、
シート部材を切断位置に案内する案内手段と、
切断位置に配置された補助ローラと、
前記補助ローラに離接可能に配置され切断時にシート部材を前記補助ローラ間に挟持して回転し切断するカッターローラと、
から構成したシードテープ用シート被覆装置。
【発明の詳細な説明】
【技術分野】
【０００１】
本発明は、主として田畑耕土上に敷設されたシードテープの上を例えばポリエチレンシートもしくはビニールシート等の合成樹脂製のシート部材で被覆するためのシードテープ用シート被覆装置に関する。
【背景技術】
【０００２】
本出願人は、すでに種テープ敷設機におけるシート被覆装置（特許文献１）を提案している。この装置は、種テープの所定間隔毎に設けられた種取付部分のみをシート部材より露出させておくために、種取付位置に合致すべく所定間隔毎に穿孔装置により予め孔部を穿設加工してから使用するのであった。また、この孔部を形成する替わりに、例えば切断装置により、シート部材面に略コの字形状の切断部を形成しておいてから種テープの種取付部分のみをこの切断部によって形成される孔部でもって露出させた状態で耕土上に敷設しておく場合もあった。
【特許文献１】実開昭５４−７０８４２号公報
【発明の開示】
【発明が解決しようとする課題】
【０００３】
しかしながら、このような従来の如き孔部を予め穿設加工して使用する場合、シート部材の孔部周辺にかかる引っ張り力に対する強度が非常に弱くなるためシート部材をシートリールから引き出してから鎮圧ローラによって耕土上に敷設させるまでの間にシート部材の孔部周辺が破損してしまう。また、シート部材面に略コの字形状の切断部を形成しておいてから種テープの種取付部分のみをこの切断部によって露出させた状態で耕土上に敷設しておく場合では、切断片がひらひらと風で煽られてしまうため種の芽生育にとって多大な弊害をもたらす結果となりかねない等の問題点を有していた。
【０００４】
そこで本発明は叙上のような従来存した諸事情に鑑み創出されたものである。
シートリールから引き出された状態では孔部が形成されておらず、鎮圧ローラによってシート部材が耕土上に敷設させる直前に孔部が形成されるようにすることで、シート部材の孔部周辺の破損を未然に防止できるようにする。
また、シート部材の略コの字形状の切断部によって形成される孔部を切断片の煽りによって塞いでしまう如き、種の芽生育に弊害をもたらすことなく、種テープが敷設された耕土を種部分を確実に残して容易に覆うことができ、しかも土中に残存しないタイプのシート部材を使用することで環境汚染を防止できるものとしたシート被覆装置を提供することを目的とする。
【課題を解決するための手段】
【０００５】
前記目的を達成するために、本発明による請求項１記載のシート被覆装置は、
走行可能な台車型機枠に取り付けられ、シート部材をシードテープと同期して繰り出し、開口形成予定部を切断し、鎮圧ローラによりシートをシードテープに被覆するシードテープ用シート被覆装置であって、
シート部材を巻回装備したシートリールと、
シート部材を切断位置に案内する案内手段と、
切断位置に配置された補助ローラと、
前記補助ローラに離接可能に配置され切断時にシート部材を前記補助ローラ間に挟持して回転し切断するカッターローラと、から構成されている。
【０００６】
なお、前記被覆装置のカッターローラで、前記補助ローラに離接可能に配置され切断時にシート部材を前記補助ローラ間に挟持して回転し開口形成のための引き千切り部を残して切断するようにし、前記補助ローラに設けられた突き刺し尖端により開口の際の残滓を取り除き、収容する収容部を設けることができる。
【０００７】
前記構成の本発明に係るシート被覆装置にあっては、走行可能な台車型機枠に取り付けられたシート被覆装置１であって、シート部材Ｐを巻回装備したシートリール３と、シートリール３から引き出されたシート部材Ｐに切断部Ｑを形成する切断機構部２と、形成された切断部Ｑを折曲部分を介して折曲させる折曲機構部５と、切断部Ｑの折曲方向が下向き状態となるようにしてシート部材Ｐを耕土Ｔ上に敷設させる鎮圧ローラ６とから構成することもできる。
切断機構部２は、シート部材Ｐの長手方向に沿って左右縁部側の等間隔位置に略コの字形状の切断部Ｑを形成する略コの字型の刃部をローラ周面に有するカッターローラとすることができる。
また、切断機構部２には、シート部材Ｐに形成した略コの字形の切断部Ｑの非切断部側近傍に、等間隔ドット状もしくは連続ライン状に接着剤Ｓを塗布させる接着剤塗布装置を付設することができる。
折曲機構部５は、シート部材Ｐの切断部Ｑを押圧開放させる押圧バネ５Ａと、開放された切断部Ｑを折曲部分を介して折曲させるようシート部材Ｐ外側から当接配置させた折曲規制用ローラ５Ｂとを備えて成るものとすることができる。
また、折曲機構部５は、シート部材Ｐの切断部Ｑを押圧開放させる跳ね上げ式の押圧バネ１５Ａと、開放された切断部Ｑを折曲部分を介して左右端部方向に折曲させるようシート部材Ｐ上側から当接配置させた略Ｌ字型の折曲規制用フレーム１５Ｂとを備えて成るものとすることができる。
切断機構部２は、略コの字形状の切断部Ｑの形成に加えて、若干離れて長目の１本の切り込み部２１を設け、対向配置した一対の抜きローラ２２Ａ，２２Ｂでもって切断部Ｑを挟持しながら巻き込み破断除去させ、引き千切られたシート片をゴミ受け２３に収容させることで孔部Ｒを形成する抜き方式によるものとすることができる。
また、切断機構部２は、上下位置に設けたガイドローラ３４Ａ，３４Ｂの中央部に配したシート部材Ｐの孔開け切断用のカッターローラ３５と、カッターローラ３５による切断後のシート片を剥離してゴミ受け２３内に収容するよう複数等間隔の尖端部３６Ａを周設してある補助ローラ３６とにより構成することができる。
走行可能な台車型機枠の前方上方に装備した種テープリールと、下部に装備した種テープガイドと、種テープリールと種テープガイドの中間部に検出ガイドローラとこれの外周に沿って、検出装置の検出アームを対向配置する一方、機枠の後方に前記シート被覆装置１を取付け、前記検出装置による種検出信号に同期してシート被覆装置１の切断機構部２が作動することで、耕土Ｔ上に敷設される種テープの種部と、種テープ上を被覆するシート部材Ｐの孔部Ｒとが合致する状態となってシート部材Ｐが敷設される。
一方、本発明に係る装置にあっては、台車の走行動作に連動してシートリール３からシート部材Ｐが切断機構部２下方位置に案内搬送され、シート部材Ｐの長手方向に沿って等間隔位置に切断機構部２によって略コの字形状の切断部Ｑを形成すると共に、必要に応じて切断部Ｑの非切断部側近傍に接着剤Ｓが塗布された後、折曲機構部５によって切断部Ｑを押圧開放させ且つ開放された切断部Ｑを折曲部分を介して折曲させ、必要に応じて前記接着剤Ｓにより、折曲された切断部Ｑをシート部材Ｐ面に接着固定させて孔部Ｒが形成され、その後、鎮圧ローラ６によって切断部Ｑの折曲方向側のシート面が下向き状態となるようにしてシート部材Ｐを耕土Ｔ上に敷設させることができる。
【０００８】
以上のように構成された本発明に係るシート被覆装置において、台車の走行動作に連動してシートリール３から切断機構部２下方位置に案内搬送され、シート部材Ｐの長手方向に沿って等間隔位置に切断機構部２によって略コの字形状の切断部Ｑが形成されると同時に接着剤塗布装置により切断部Ｑの非切断部側近傍には接着剤Ｓが塗布される。
折曲機構部５における押圧バネ５Ａによって切断部Ｑを押圧開放させると同時に、開放された切断部Ｑを折曲規制用ローラ５Ｂにより折曲部分を介して折曲させ、非切断部側近傍に塗布された接着剤Ｓにより、折曲された切断部Ｑがシート部材Ｐ面に接着固定されることで孔部Ｒが形成される。
鎮圧ローラ６は、切断部Ｑの折曲方向側のシート面が下向き状態となるようにしてシート部材Ｐを耕土Ｔ上に敷設させる。
検出装置は、これの種検出信号に同期してシート被覆装置１の切断機構部２を作動させ、耕土Ｔ上に敷設される種テープの種部と、種テープ上を被覆するシート部材Ｐの孔部Ｒとが合致する状態となってシート部材Ｐを敷設させる。
【発明の効果】
【０００９】
本発明による装置は、以上のように構成され、動作するものであるから、シートの切断残滓を散逸させることのないシードテープ用シート被覆装置を提供できる。
【発明を実施するための最良の形態】
【００１０】
以下図面を参照して本発明の実施の形態を説明する。図１は本発明によるシードテープ用のシート被覆装置の配置例を示す図である。シート被覆装置１は、例えば電動駆動源によって走行可能な台車型の不図示の機枠に取り付けられている。
このシート被覆装置１は、シート部材Ｐに略コの字形の切断部Ｑを形成する切断機構部２と、合成樹脂製のシート部材Ｐを巻回装備したシートリール３と、シート部材Ｐを切断機構部２下方位置に案内させるガイドローラ４Ａ，４Ｂと、切断部Ｑを切断されていない折曲部分を介して反対側に折曲させる折曲機構部５と、切断部Ｑの折曲方向側のシート面が下向き状態となるようにしてシート部材Ｐを耕土Ｔ上に敷設させるための鎮圧ローラ６とから構成されている。尚、図中において台車の機枠、前輪、尾輪、および電動駆動源等の図示による説明は省略してある。
【００１１】
切断機構部２は、当該切断機構部２下方位置で且つ前後に配した一対のガイドローラ４Ａ，４Ｂによって案内されてきたシート部材Ｐの長手方向に沿って左右縁部側の等間隔位置に略コの字形状の切断部Ｑを形成するための略コの字型の刃部をローラ周面に備えた不図示のカッターローラを備えると共に、シート部材Ｐに形成した略コの字形の切断部Ｑの非切断部側近傍に、等間隔ドット状に接着剤Ｓを塗布させ、後述する折曲機構部５によって切断部Ｑが折曲された際に、塗布された接着剤Ｓにより当該切断部Ｑがシート部材Ｐ面に接着固定させるための不図示の接着剤塗布装置を付設してある。
【００１２】
シートリール３は、無公害でしかも耕土Ｔ中に残存しない物性を備えた例えばポリエチレンシート、あるいはビニールシート等の合成樹脂製のシート部材Ｐを巻回装備し、機枠に軸支された状態で回動可能に配置されている。
【００１３】
折曲機構部５は、シート部材Ｐの切断部Ｑを押圧開放させる押圧バネ５Ａと、開放された切断部Ｑを切断されていない折曲部分を介して折曲し、シート部材Ｐ裏面側に当接保持させておくために、シート部材Ｐ外側から当接配置させた折曲規制用ローラ５Ｂとを備えている。
【００１４】
鎮圧ローラ６は、シート部材Ｐを耕土Ｔ上に敷設させるために前記シートリール３よりも若干下方位置において機枠に対し回転可能に軸支されている。
【００１５】
また、本実施の形態におけるシート被覆装置は、本出願人自身が先に考案した実開昭５４−７０８４２号公報に開示してある種テープ敷設機に搭載して使用されるものとしても良い。すなわち、走行可能な台車型の機枠において、この前方上方に種テープリールを装備し、下部に種テープガイドを装備し、種テープリールと種テープガイドの中間部に検出ガイドローラとこれの外周に沿って、ランプと受光器とから成る検出装置から下方に突出した検出アームを対向配置する一方、機枠の後方に本実施の形態によるシート被覆装置を取付け、前記検出装置による種検出信号に同期してシート被覆装置の切断機構部２が作動することで、耕土Ｔ上に敷設される種テープの種部と、種テープ上を被覆するシート部材Ｐの孔部Ｒとが合致する状態となってシート部材Ｐが敷設されるようにしてある。
【００１６】
次に以上のように構成された実施の形態についての使用、動作の一例を説明する。台車の走行動作に連動してシートリール３からシート部材Ｐが一対のガイドローラ４Ａ，４Ｂによって切断機構部２下方位置に案内搬送され、シート部材Ｐの長手方向に沿って等間隔位置に切断機構部２によって略コの字形状の切断部Ｑを形成する。このとき切断部Ｑの非切断部側近傍には、等間隔ドット状に接着剤Ｓが塗布される。次に、折曲機構部５における押圧バネ５Ａによって切断部Ｑを押圧開放させると同時に、開放された切断部Ｑを折曲規制用ローラ５Ｂにより折曲部分を介して折曲させ、非切断部側近傍に塗布された接着剤Ｓにより、折曲された切断部Ｑがシート部材Ｐ面に接着固定されることで孔部Ｒが形成される。その後、鎮圧ローラ６によって切断部Ｑの折曲方向が下向き状態となるようにしてシート部材Ｐを耕土Ｔ上に敷設させる。このように本実施の形態における穿孔方式は、略コの字型の刃部をローラ周面に備えた不図示のカッターローラによりシート部材Ｐの縁部に等間隔となって略コの字形状に予め切断してからこれを折曲部分を介して反対側に折り曲げることで孔部Ｒを形成する所謂折曲方式によるものである。
【００１７】
尚、本実施の形態における切断機構部２では、ローラ周面に刃部を備えた不図示のカッターローラを採用しているが、その他の構成として図示を省略したが、熱による溶融加工方式によって孔部Ｒを形成することも可能である。また、孔部Ｒの形状は、図５に示すように、略Ｕ字形状の切断部Ｑによって略横長半円状（図５（ａ）参照）に形成されていたり、略くの字形状の切断部Ｑによって略三角状（図５（ｂ）参照）に形成されていたり、その他種々な形状となって形成されていたりしても良い。さらに、種テープの所定間隔毎に設けられた種取付部分のみをシート部材より露出させておくために、種取付位置に合致すべく所定間隔毎に穿孔装置により予め孔部を穿設加工して成る市販のシート部材を購入して使用しても良い。
【００１８】
また、図２には本発明によるシードテープ用シート被覆装置の他の配列を示している。図１と同一の構成部分については同一の符号が付されることでその詳細な説明は省略されている。図２に示したものは、図１に示したシート部材Ｐの切断部Ｑの方向を長手方向に対して横向きに形成されるように設定し、且つ折曲機構部５は、シート部材Ｐの切断部Ｑを押圧開放させる跳ね上げ式の押圧バネ１５Ａと、開放された切断部Ｑを折曲部分を介して左右端部方向に折曲させるためにシート部材Ｐ上側から当接配置させた略Ｌ字型の折曲規制用フレーム１５Ｂとを備えているものである。すなわち、切断機構部２は、シート部材Ｐの搬送方向に対して横向きに配置した略コの字型の刃部をローラ周面に備えた不図示のカッターローラによりシート部材Ｐの左右端縁部に等間隔となって横向きコの字形状に切断部Ｑを形成するものとしてある。そして、折曲規制用フレーム１５Ｂは水平斜向部１６Ａと、起立部１６Ｂとによって形成されており、押圧バネ１５Ａの跳ね上げ動作によってシート部材Ｐの切断部Ｑを押圧開放させ、開放された切断部Ｑを、水平斜向部１６Ａにより誘導されながら起立部１６Ｂによって捲り上げるようにして折曲するものとしてある。また、このように切断部Ｑの方向を設定配置することで、接着剤塗布装置による接着剤Ｓの塗布は、シート部材Ｐの長手方向に沿ってライン状に連続して塗布することができる。
【００１９】
図３は、本発明によるシート被覆装置の抜き方式による孔部（開口）形成の概念を示す構成図である。図１と同一の構成部分については同一の符号が付されることでその詳細な説明は省略されている。この実施の形態にあっては、前述（図１）の例におけるように略コの字形状の切断部Ｑの折曲部分を折り曲げることで孔部Ｒを形成する所謂折曲方式の替わりに、略コの字形状の切断部Ｑの形成に加えて、若干離れて長目の１本の切り込み部２１を入れておき、対向配置した一対の抜きローラ２２Ａ，２２Ｂでもって切断部Ｑを挟持して巻き取ることで切断部Ｑの端部が切り込み部２１に達して引き千切られたシート片をゴミ受け２３に収容させることで孔部Ｒを形成する所謂抜き方式によるものである。
【００２０】
図４は、本発明によるシート被覆装置の抜き方式による孔部（開口）形成の詳細例を示す図である。図１と同一の構成部分については同一の符号が付されることでその詳細な説明は省略されている。この図４の実施の形態にあっては図１の例における切断機構部２の詳細例または変形例として、上下位置に配したガイドローラ３４Ａ，３４Ｂの中央部に例えば矩形状の刃部３５Ａを備えたカッターローラ３５と、複数等間隔の尖端部３６Ａを周設してある補助ローラ３６とを配し、カッターローラ３５を補助ローラ３６に対して進退可能となるように配置することでシート部材Ｐを挟持しながら切断部Ｑが形成されると共に、補助ローラ３６の尖端部３６Ａによってシート部材Ｐの切断部Ｑに囲まれたシート片部中央を突き刺してこれを取り除き、ゴミ取り板３７でもって尖端部３６Ａに突き刺さっているシート片を剥離してゴミ受け３８内に収容するようにしてある。
【００２１】
本発明は以上のように構成されているために、シートリール３から引き出された状態では孔部Ｒが形成されておらず、鎮圧ローラ６によってシート部材Ｐが耕土Ｔ上に敷設させる直前に孔部Ｒが形成されるようにすることで、シート部材Ｐの孔部Ｒ周辺の破損を未然に防止できる。また、シート部材Ｐの略コの字形状の切断部によって形成される孔部Ｒを切断片の煽りによって塞いでしまう如き、種の芽生育に弊害をもたらすことなく、種テープが敷設された耕土Ｔを種部分を確実に残して容易に覆うことができ、しかも土中に残存しないタイプのシート部材Ｐを使用することで環境汚染を防止できるシート被覆装置を提供できる。
【００２２】
すなわちこれは本発明に係るシート被覆装置が、走行可能な台車型機枠に取り付けられたシート被覆装置１であって、シート部材Ｐを巻回装備したシートリール３と、シートリール３から引き出されたシート部材Ｐに切断部Ｑを形成する切断機構部２と、形成された切断部Ｑを折曲部分を介して折曲させる折曲機構部５と、切断部Ｑの折曲方向が下向き状態となるようにしてシート部材Ｐを耕土Ｔ上に敷設させる鎮圧ローラ６とから構成されているからである。
【００２３】
切断機構部２は、シート部材Ｐの長手方向に沿って左右縁部側の等間隔位置に略コの字形状の切断部Ｑを形成する略コの字型の刃部をローラ周面に有するカッターローラを備え、またシート部材Ｐに形成した略コの字型の切断部Ｑの非切断部側近傍に接着剤Ｓを塗布させる接着剤塗布装置を付設したものとし、一方、折曲機構部５は、シート部材Ｐの切断部Ｑを押圧開放させる押圧バネ５Ａと、開放された切断部Ｑを折曲部分を介して折曲させるようシート部材Ｐ外側から当接配置させた折曲規制用ローラ５Ｂとを備えて成るものとしたり、あるいは折曲機構部５は、シート部材Ｐの切断部Ｑを押圧開放させる跳ね上げ式の押圧バネ１５Ａと、開放された切断部Ｑを折曲部分を介して左右端部方向に折曲させるようシート部材Ｐ上側から当接配置させた略Ｌ字型の折曲規制用フレーム１５Ｂとを備えて成るものとしたので、切断部Ｑ形成後の当該切断部Ｑの折曲がスムーズに行なうことができ、撓曲変形のないきれいな孔部Ｒを容易に形成することができる。
【００２４】
切断機構部２は、略コの字形状の切断部Ｑの形成に加えて、若干離れて長目の１本の切り込み部２１を設け、対向配置した一対の抜きローラ２２Ａ，２２Ｂでもって切断部Ｑを挟持しながら巻き込み破断除去させ、引き千切られたシート片をゴミ受け２３に収容させることで孔部Ｒを形成する抜き方式によるものとしたので、切断部Ｑ形成後の当該切断部Ｑの引き抜き作業による除去がスムーズに行なうことができ、撓曲変形のないきれいな孔部Ｒを容易に形成することができる。しかも、切断されたシート片はゴミ受け２３内に集められるのでゴミが周囲に散らばらない。
【００２５】
切断機構部２は、上下位置に設けたガイドローラ３４Ａ，３４Ｂの中央部に配したシート部材Ｐの孔開け切断用のカッターローラ３５と、カッターローラ３５による切断後のシート片を剥離してゴミ受け２３内に収容するよう複数等間隔の尖端部３６Ａを周設してある補助ローラ３６とにより構成したので、切断部Ｑ形成後の補助ローラ３６による除去作業でもって切断部Ｑの除去がスムーズに行なうことができ、撓曲変形のないきれいな孔部Ｒを容易に形成することができる。しかも、切断されたシート片はゴミ受け２３内に集められるのでゴミが周囲に散らばらない。
【００２６】
走行可能な台車型機枠の前方上方に装備した種テープリールと、下部に装備した種テープガイドと、種テープリールと種テープガイドの中間部に検出ガイドローラとこれの外周に沿って、検出装置の検出アームを対向配置する一方、機枠の後方に前記シート被覆装置１を取付け、前記検出装置による種検出信号に同期してシート被覆装置１の切断機構部２が作動することで、耕土Ｔ上に敷設される種テープの種部と、種テープ上を被覆するシート部材Ｐの孔部Ｒとが合致する状態となってシート部材Ｐが敷設されるものとしたので、種テープが敷設された直後の耕土Ｔを当該種テープの種部分を露出させた状態でシート部材Ｐにより耕土Ｔ上を短時間で容易に覆うことができる。
【００２７】
一方、本発明に係る装置では、台車の走行動作に連動してシートリール３からシート部材Ｐが切断機構部２下方位置に案内搬送され、シート部材Ｐの長手方向に沿って等間隔位置に切断機構部２によって略コの字形状の切断部Ｑを形成すると共に、必要に応じて切断部Ｑの非切断部側近傍に接着剤Ｓが塗布された後、折曲機構部５によって切断部Ｑを押圧開放させ且つ開放された切断部Ｑを折曲部分を介して折曲させ、必要に応じて前記接着剤Ｓにより、折曲された切断部Ｑをシート部材Ｐ面に接着固定させて孔部Ｒが形成され、その後、鎮圧ローラ６によって切断部Ｑの折曲方向側のシート面が下向き状態となるようにしてシート部材Ｐを耕土Ｔ上に敷設させるものとしたので、鎮圧ローラ６によってシート部材Ｐが耕土Ｔ上に敷設させる直前に孔部Ｒが形成され、シート部材Ｐの孔部Ｒ周辺の破損を未然に防止することができ、また種テープが敷設された耕土Ｔを種部分を残してスムーズに覆うことができる。
【００２８】
要するに、本発明によれば、シートをシードテープに合わせて加工することができる上、開口部に原因する残滓の悪影響を完全に解消できる。
【図面の簡単な説明】
【００２９】
【図１】本発明によるシート被覆装置の概略を示す構成図である。
【図２】本発明によるシート被覆装置の概略を示す他の構成図である。
【図３】本発明によるシート被覆装置の抜き方式による孔部（開口）形成の概念を示す構成図である。
【図４】本発明によるシート被覆装置の抜き方式による孔部（開口）形成の実施例を示す構成図である。
【図５】シート部材の孔部（開口）形状の他の具体例を示すもので、（ａ）は横長半円形状の孔部を有するシート部材の一部を示す平面図、（ｂ）は三角形状の孔部を有するシート部材の一部を示す平面図である。
【符号の説明】
【００３０】
Ｐ  シート部材
Ｑ  切断部
Ｒ  孔部
Ｓ  接着剤
Ｔ  耕土
１  シート被覆装置
２  切断機構部
３  シートリール
４Ａ，４Ｂ  ガイドローラ
５  折曲機構部
６  鎮圧ローラ
【図１】
2006115854.tif 000003
【図２】
2006115854.tif 000004
【図３】
2006115854.tif 000005
【図４】
2006115854.tif 000006
【図５】
2006115854.tif 000007